(57)【要約】【課題】閉店時にディスペンスヘッドと冷却装置との間の飲料供給路に滞留する飲料を簡素な操作で抜き出す機能をディスペンスヘッドに付加する。【解決手段】外管の管壁に分岐管が連通し、分岐管を通じて外管と内管との間にガス圧を印加し、このガス圧を内管に形成した小径部を通じて飲料容器に供給し、このガス圧により飲料容器から飲料をサイホン管を通じて抜き出して容器に注出する構造のディスペンスヘッドにおいて、分岐管に内管の凹凸形状に従って変位するアクチュエータを設け、アクチュエータが内管に形成した小径部と対向する状態でアクチュエータを微少量開放手段として機能させ、微少量のガスによってディスペンスヘッドと冷却装置との間に滞留する飲料を排出させる。【選択図】図１
0003121929.tif 000002
【実用新案登録請求の範囲】
【請求項１】
外部から管内に通じる分岐管を備え、一端側が飲料容器の飲料取出口から飲料容器の底に向って垂下されて支持されたサイホン管に連結される外管と、
この外管の管内において、外管の管軸方向に推動自在に支持され、上記外管に設けられた分岐管の分岐位置に対抗して小径部を有する内管と、
上記外管に設けられた分岐管の位置を挟んで一方側と他方側の上記外管の内壁に設けられた一対のオーリングによって構成され、上記内管が上記外管とサイホン管との連結部から離れる方向に変位した状態では上記一対のオーリングが上記内管に設けられた小径部以外に接触し、上記小径部を含む上記一対のオーリングに挟まれた空間を気密に維持し、上記内管が上記外管とサイホン管との連結部に近づく方向に変位した状態で上記一対のオーリングの中の上記サイホン管に近い側のオーリングが上記小径部と対向し、上記分岐管から供給されるガス圧を上記飲料容器に印加し、このガス圧の印加により飲料を上記サイホン管を通じて上記飲料容器から抽出し、上記内管を上記サイホン管から離れる方向に変位させると、上記サイホン管に近い側のオーリングが上記小径部以外の位置に接触し、ガス圧の印加を遮断し、飲料の抽出を制御する飲料抽出制御弁と、
上記分岐管の管路内において、上記分岐管の方向に推動自在に支持され、バネの偏倚力によって上記外管の管軸方向に突出し、先端が上記内管の外周面に弾性的に圧接し、前記先端が上記小径部と小径部以外との当接により上記分岐管内における位置が変位するアクチュエータと、
このアクチュエータの先端が上記小径部に圧接した状態で上記分岐管から上記外管に供給されるガス量を抑制する微少量開放手段と、
を備えることを特徴とするディスペンスヘッド。
【請求項２】
外部から管内に通じる分岐管を備え、一端側が飲料容器の飲料取出口から飲料容器の底に向って垂下されて支持されたサイホン管に連結される外管と、
この外管の管内において、外管の管軸方向に推動自在に支持され、上記外管に設けられた分岐管の分岐位置に対抗して小径部を有する内管と、
上記外管に設けられた分岐管の位置を挟んで一方側と他方側の上記外管の内壁に設けられた一対のオーリングによって構成され、上記内管が上記外管とサイホン管との連結部から離れる方向に変位した状態では上記一対のオーリングが上記内管に設けられた小径部以外に接触し、上記小径部を含む上記一対のオーリングに挟まれた空間を気密に維持し、上記内管が上記外管とサイホン管との連結部に近づく方向に変位した状態で上記一対のオーリングの中の上記サイホン管に近い側のオーリングが上記小径部と対向し、上記分岐管から供給されるガス圧を上記飲料容器に印加し、このガス圧の印加により飲料を上記サイホン管を通じて上記飲料容器から抽出し、上記内管を上記サイホン管から離れる方向に変位させると、上記サイホン管に近い側のオーリングが上記小径部以外の位置に接触し、ガス圧の印加を遮断し、飲料の抽出を制御する飲料抽出制御弁と、
上記分岐管の管路内において、上記分岐管の管軸方向に推動自在に支持され、バネの偏倚力によって上記外管の管軸方向に突出し、先端が上記内管の外周面に弾性的に圧接し、上記先端が上記小径部と小径部以外との当接により上記分岐管内における位置が変位するアクチュエータと、
このアクチュエータの先端が上記小径部に圧接した状態で上記分岐管から上記外管に供給されるガス量を抑制する微少量開放手段と、
上記微少量開放手段の位置より外管側の位置において上記アクチュエータの外周に装着され、上記外管側からガス乃至は飲料が上記微少量開放手段に逆流することを阻止する逆止弁と、
を備えることを特徴とするディスペンスヘッド。
【請求項３】
請求項１又は２の何れかに記載のディスペンスヘッドにおいて、上記アクチュエータは上記分岐管の管路に装着した管体の中空部に支持され、この中空部にはガス供給側が太く、上記外管側が細い互いに異なる内径を有し、この内径の異なる境界位置に段部を形成し、この段部に上記アクチュエータに形成した段部を接合させ、段部の相互の接合により微少量開放手段を構成したことを特徴とするディスペンスヘッド。
【考案の詳細な説明】
【技術分野】
【０００１】
この考案は例えばビールを収納した容器のビール注出口に設けられ、店の営業中はビールを冷却装置に送給する状態を維持し、閉店時は非送給状態に切替える機能を備えたディスペンスヘッドに関する。
【背景技術】
【０００２】
ビール或は炭酸飲料は容器内にガス圧を印加し、飲料から気体成分が放出されることを抑制しておく必要がある。このため、飲料容器の飲料取出口にディスペンスヘッドが設けられ、ディスペンスヘッドを介して外部から飲料容器にガス圧を印加し、そのガス圧により飲料を容器から注出し、注出した飲料をディスペンサーと呼ばれる冷却装置に送給し、冷却装置で冷却した飲料をカップ等に注入して販売を行なう形態が採られる。このようにして飲料容器には常時外部からガス圧を印加した状態を維持する。
図５にその様子を示す。図中１０はガスボンベ、２０は飲料容器、３０はこの飲料容器２０の口に装着したディスペンスヘッド、４０は冷却装置を示す。ガスボンベ１０には一般に炭酸ガスが充填されており、炭酸ガスが減圧弁１１を通じてディスペンスヘッド３０に印加され、ディスペンスヘッド３０の操作により炭酸ガスを飲料容器２０に印加する状態と、非印加状態とに制御される。
【０００３】
ディスペンスヘッド３０は飲料容器２０に装着されたサイホン管２１の上端に接続される。ガス圧を飲料容器２０に向って印加する状態と、非印加状態とに切替える制御弁を備える。制御弁はレバーによって操作され、店の開店中はガスボンベ１０からガス圧を飲料容器２０に印加した状態を維持し、冷却装置４０に設けられた注出コック４１が開かれる毎に、飲料容器２０から飲料をガス圧により押し上げジョッキ等の容器４２に注出する。
店の営業中は常にディスペンスヘッド３０を開の状態に維持し、飲料容器２０内のガス圧を一定値に維持する。
【０００４】
店が開店中は上述したようにディスペンスヘッド３０を開の状態に維持し、飲料容器２０にガスボンベ１０からのガス圧を印加した状態に維持するが、店を閉じる場合はディスペンスヘッド３０を閉の状態に操作し、ガスボンベ１０からのガス圧を遮断する。この状態で飲料容器２０内はディスペンスヘッド３０の弁及びサイホン管２１の上端に設けられたサイホン管開閉弁によってガスボンベ１０から与えられた気圧に維持される。翌日開店する場合は再びディスペンスヘッド３０の弁を開の状態に操作することにより、ガスボンベ１０から飲料容器２０へガス圧を印加し、飲料を注出できる状態に戻される。
【０００５】
ここで従来から使われているディスペンスヘッド３０とこのディスペンスヘッド３０に接続されるサイホン管の構造を簡単に説明する。ディスペンスヘッド３０は図６に示すように外管３１と、内管３２とから成る２重構造とされる。内管３２と外管３１との間にオーリング３３Ａと３３Ｂとが装着され、このオーリング３３Ａと、３３Ｂで挟まれた領域は気密に保たれる。内管３２の周面にはこの気密部分において小径部３２Ａが形成される。この小径部３２Ａと対向して外管３１に外部に通じる分岐管３１Ａが設けられ、この分岐管３１Ａにガスボンベ１０からガス圧を印加する。
【０００６】
小径部３２Ａがオーリング３３Ａと３３Ｂで囲まれた位置に配置されている状態では分岐管３１Ａを通じて印加されたガスは何れにも漏れない状態に維持される。これに対し、内管３２がレバー３４の操作によって下向に移動し、小径部３２Ａが下側のオーリング３３Ｂより下側に移動すると、分岐管３１Ａに印加されているガスは外管３１と内管３２との間の隙間を通じて下向きに噴出し、飲料容器２０に印加される。従って、一対のオーリング３３Ａ、３３Ｂと小径部３２Ａとによって飲料注出制御弁ＢＥＮ１を構成している。
次にサイホン管２１の構造を説明する。サイホン管２１は図７に示すように第１弁２２と、第２弁２３とを備え、これら第１弁２２と第２弁２３はバネ２２Ａと、２３Ａによって常時上向に偏倚され、閉の状態に維持される（図７Ａ参照）。
【０００７】
第１弁２２には図６に示したディスペンスヘッド３０に設けられた内管３２の下端が係合し、レバー３４の操作によって内管３２が下向に移動するとき、内管３２から下向に向う偏倚力を受け、第１弁２２はバネ２２Ａの偏倚力に抗して下向に移動する。この移動によって第１弁２２と第２弁２３との間に第１隙間２４（図７Ｂ参照）が形成され、この第１空隙２４により飲料の流通路が形成される。
一方、内管３２の下向の移動が更に進むと、内管３２の外側に被せた第１ゴムパッキン３５（図６参照）が第２弁２３の段部２３Ｂ（図７Ｂ参照）に係合し、飲料流通路とガス流通路とを遮断する。
【０００８】
内管３２の移動が更に進むと、第２弁２３はバネ２３Ａの偏倚力に抗して下向に移動を始め、第２弁２３とホルダ２５との間に第２空隙２６を形成する（図７Ｃ参照）。この第２空隙２６がガス流通路として作用し、ディスペンスヘッド３０から噴出したガスが孔２７（図７Ｃ）を通じて飲料容器２０の内部に印加される。ディスペンスヘッド３０には外管３１の下端に第２ゴムパッキン３６が設けられており、この第２ゴムパッキン３６がサイホン管２１のホルダ２５の段部２５Ａに圧接してガス流通量と外部との間を遮蔽する。ディスペンスヘッド３０から噴出したガス圧が飲料容器２０の内部に印加されることにより、飲料容器２０内の飲料はサイホン管２１を通じて上昇し、第１空隙２４を通って噴き上げ図６に示した切欠３２Ｂを通じて内管３２の中空部に注入され、この中空部を上向に上昇し、ホース３７（図６）を通じて冷却装置４０に運ばれる。
【０００９】
ホルダ２５とディスペンスヘッド３０はホルダ２５の内周に設けた爪２５Ｂ（図７Ｂ）とディスペンスヘッド３０の外管３１の外周に設けた爪３１Ｃ（図６参照）とによって構成されるバヨネット機構によって係止される。内管３２の上端部は飲料送給口とされ、冷却装置４０へ通じるホース３７が接続される。以上の説明から明らかなように、内管３２の中空部が飲料注出路として作用し、更に外管３１と内管３２との間の空隙部分がガス圧印加通路として作用し、更に、内管３２に形成した小径部３２Ａとオーリング３３Ｂとによってガス圧印加通路を開閉する飲料注出口制御弁ＢＥＮ１として作用し、更にサイホン管２１の上部に設けられた第１弁２２と第２弁２３はサイホン管開閉弁ＢＥＮ２として作用する。
【００１０】
上述したように、この種の飲料注出装置では閉店中はディスペンスヘッド３０から冷却装置４０を経て注出コック４１に至る管路に滞留した飲料はガス圧が掛からない状態に放置される。ディスペンスヘッド３０と注出コック４１に至る間の管路内では空気に触れる部分はないものの、この部分に滞留する飲料の圧力は低い状態に放置され、飲料に含まれる炭酸或はガス成分は気化を始め、いわゆる気の抜けた状態となる。このため、開店当初は冷却装置４０内に滞留した飲料を廃棄しなければならないことになり、無駄が生じる。
また、夏或は暖房がよく利いた店では閉店中に滞留した飲料が変質するおそれがある。このため、正規の取扱い方法としては閉店時にディスペンスヘッド３０を洗浄水を収納した洗浄樽に付け替え、この洗浄樽からガス圧を利用して洗浄水を注出し、洗浄水をホース３７を通じて冷却装置４０に送り込み、洗浄水でホース３７と冷却装置４０内の管路に残された飲料を排出させると共に、洗浄水で管路を洗浄する作業が要求される。
【００１１】
冷却装置４０内の冷却のための管路は比較的長く、従って無駄になる飲料の量も大きく、ジョッキに一杯分程度となる。この量の飲料が多数の飲食店で廃棄されることになると、その総量は大きな量となり、無駄が大きい。
上述したような不都合を解消するために、本出願人は特許文献１に開示するディスペンスヘッドを提案した。この先に提案したディスペンスヘッドは図８に示すように内管３２の内径部３２Ａの近傍に微少量開放手段３２Ｃとして機能する切欠を備える。微少量開放手段３２Ｃを設けたことにより、ディスペンスヘッド３０を閉止位置（この状態はサイホン管側の弁は既に閉じている）に戻す直前に分岐管３１Ａから供給されるガスを微少量開放手段３２Ｃで微少流量に絞り、微少流量のガスを外管３１とサイホン管２１との接続部に供給し、その微少量のガスによってディスペンスヘッド３０から冷却装置４０の飲料注出コック４１に至る間の飲料通路に滞留する飲料を飲料注出コック４１から排出させることができる。
【００１２】
従って、先に提案したディスペンスヘッドを用いることにより、閉店時にディスペンスヘッド３０から飲料注出コック４１に至る間の管路に停滞する飲料を抜き取ることができ、抜き取った飲料は新鮮であるため無駄に廃棄する必要もなく、有効に活用できる利点が得られる。
【特許文献１】実用新案登録第３１１２８４４号明細書
【考案の開示】
【考案が解決しようとする課題】
【００１３】
先に提案したディスペンスヘッドはガス圧をサイホン管２１へ供給する、しないを制御する飲料注出弁ＢＥＮ１の近傍に微少量開放手段３２Ｃを配置したため、この部分には飲料が逆流して来るおそれがある。飲料が微少量開放手段３２Ｃに接触すると微少量開放手段３２Ｃを構成する切欠部分に飲料に含まれる成分が序々に堆積し、詰りが発生する不都合が生じる。
この考案の目的は先に提案したディスペンスヘッドの欠点を解消し、長期にわたって安定に動作するディスペンスヘッドを提案しようとするものである。
【課題を解決するための手段】
【００１４】
この考案ではディスペンスヘッドの内で可及的に飲料と接触する率が少ない分岐管に微少量開放手段を設置した点と、更に微少量開放手段と外管との間に逆止弁を設けた構造を提案する。
具体的には本考案によるディスペンスヘッドは外部から管内に通じる分岐管を備え、一端側が飲料容器の飲料取出口から飲料容器の底に向って垂下されて支持されたサイホン管に連結される外管と、この外管の管内において、外管の管軸方向に推動自在に支持され、上記外管に設けられた分岐管の分岐位置に対抗して小径部を有する内管と、外管に設けられた分岐管の位置を挟んで一方側と他方側の外管の内壁に設けられた一対のオーリングによって構成され、内管が外管とサイホン管との連結部から離れる方向に変位した状態では一対のオーリングが内管に設けられた小径部以外に接触し、小径部を含む一対のオーリングに挟まれた空間を気密に維持し、内管が外管とサイホン管との連結部に近づく方向に変位した状態で一対のオーリングの中のサイホン管に近い側のオーリングが小径部と対向し、分岐管から供給されるガス圧を飲料容器に印加し、このガス圧の印加により飲料をサイホン管を通じて飲料容器から抽出し、内管を上記サイホン管から離れる方向に変位させると、サイホン管に近い側のオーリングが小径部以外の位置に接触し、ガス圧の印加を遮断し、飲料の抽出を制御する飲料抽出制御弁と、分岐管の管路内において、分岐管の方向に推動自在に支持され、バネの偏倚力によって外管の管軸方向に突出し、先端が内管の外周面に弾性的に圧接し、先端が小径部と小径部以外との当接により分岐管内における位置が変位するアクチュエータと、このアクチュエータの先端が小径部に圧接した状態で分岐管から外管に供給されるガス量を抑制する微少量開放手段とを備えることを特徴とする。
【００１５】
本発明では更に外部から管内に通じる分岐管を備え、一端側が飲料容器の飲料取出口から飲料容器の底に向って垂下されて支持されたサイホン管に連結される外管と、この外管の管内において、外管の管軸方向に推動自在に支持され、外管に設けられた分岐管の分岐位置に対抗して小径部を有する内管と、外管に設けられた分岐管の位置を挟んで一方側と他方側の外管の内壁に設けられた一対のオーリングによって構成され、内管が外管とサイホン管との連結部から離れる方向に変位した状態では一対のオーリングが内管に設けられた小径部以外に接触し、小径部を含む一対のオーリングに挟まれた空間を気密に維持し、内管が外管とサイホン管との連結部に近づく方向に変位した状態で一対のオーリングの中のサイホン管に近い側のオーリングが小径部と対向し、分岐管から供給されるガス圧を飲料容器に印加し、このガス圧の印加により飲料をサイホン管を通じて飲料容器から抽出し、内管をサイホン管から離れる方向に変位させると、サイホン管に近い側のオーリングが小径部以外の位置に接触し、ガス圧の印加を遮断し、飲料の抽出を制御する飲料抽出制御弁と、分岐管の管路内において、分岐管の管軸方向に推動自在に支持され、バネの偏倚力によって外管の管軸方向に突出し、先端が内管の外周面に弾性的に圧接し、先端が小径部と小径部以外との当接により分岐管内における位置が変位するアクチュエータと、このアクチュエータの先端が小径部に対向し、先端が自由な状態で分岐管から外管に供給されるガス量を抑制する微少量開放手段と、微少量開放手段の位置より外管側の位置においてアクチュエータの外周に装着され、外管側からガス乃至は飲料が微少量開放手段に逆流することを阻止する逆止弁とを備えることを特徴とする。
【００１６】
本考案によるディスペンスヘッドは更に、上記アクチュエータは分岐管の管路に装着した管体の中空部に支持され、この中空部にはガス供給側が太く、外管側が細い互いに異なる内径を有し、この異なる内径の境界位置に段部を形成し、この段部にアクチュエータに形成した段部を接合させ、段部の相互の接合により微少量開放手段を構成したことを特徴とする。
【考案の効果】
【００１７】
本考案によるディスペンスヘッドによれば、ディスペンスヘッドの中でガスの供給源に最も近い分岐管に微少量開放手段を設けたから、この部分は飲料と接触する接触確率は低い。この結果、微少量開放手段に飲料の各種成分が堆積し、微少量開放手段が詰る率は少なく、長期にわたって安定に動作することができる。
然も本考案では微少量開放手段の設置位置より外管に近い位置に逆止弁を設けた構造も提案するから、逆止弁を設けた場合は更に微少量開放手段に飲料が接触する率が下がり、信頼性の高いディスペンスヘッドを提供することができる。
【考案を実施するための最良の形態】
【００１８】
本考案によるディスペンスヘッドは分岐管の管路内にアクチュエータを備える。アクチュエータはバネの偏倚力によって分岐管から外管を通じて内管の外周面に圧接される。内管が上下に操作されることによりアクチュエータの先端は内管の大径部と小径部との径の違う部分と対向し、径の違いに応じて分岐管の内部で分岐管の軸芯方向に移動する。アクチュエータの先端が内管の大径部に圧接する状態ではアクチュエータは外管から最も離れた位置に偏位し、この状態ではガスの通過断面積を最大にし、飲料注出可能状態とする。
飲料注出可能状態から内管を上向きに移動させると、小径部が分岐管の分岐位置に近づく、アクチュエータの先端が小径部に近づき、大径部から小径部に至るテーパ面に圧接し始めると、アクチュエータによるガス流通路の断面積が漸次小さくなり、微少量開放手段として機能を始める。この状態に至る間に内管の上昇移動によりサイホン管の弁は閉じられるから、微少量開放手段を通じて洩れるガス量によって、ディスペンスヘッドから飲料注出コックに至る間の管路に停滞する飲料を適正な速度（飲料注出コックを閉じる操作が可能な速度）で排出することができる。つまり、微少量開放手段によりガス量を充分に絞った状態にしない場合は，飲料の終了と同時にガスが飲料注出コックから噴出し、その噴出によりコップに注出した飲料が周囲に飛散する自己が起きる。
【実施例１】
【００１９】
図１乃至図４を用いて本考案の一実施例を説明する。図１乃至図４において、図６および図８と対応する部分には同一符号を付して示す。図１乃至図３に示すディスペンスヘッドは外管３１及び内管３２の中心線を境いとして半分の部分を示している。構造は図６と図８で説明したディスペンスヘッドの構造と同じで、外管３１の中空孔に内管３２が推動自在に支持され、レバー３４により上下方向に推動操作される。外管３１の内壁には一対のオーリング３３Ａと３３Ｂが配置され、この一対のオーリング３３Ａと３３Ｂが配置された間の位置に分岐管３１Ａが連通し、この分岐管３１Ａを通じてガスを外管３１と内管３２の間隙部分に印加する。図１は飲料注出可能な状態を示す。つまり、この状態は内管３２がレバー３４の操作によって最も下位の位置に押下される。このために小径部３２Ａは下側のオーリング３３Ｂと対向する位置に配置され、オーリング３３Ｂのシール性は除去される。従って分岐管３１Ａを通じて印加されるガス圧は小径部３２Ａを通じて、ここでは特に図示していないが、図７に示したサイホン管２１との連結部に印加される。内管３１が図１に示す最下端位置に押し下げられたことにより、図７に示したサイホン管２１に設けた第１弁２２と第２弁２３が開の状態に操作されるから、分岐管３１Ａから印加されるガス圧は飲料容器２０に印加され、飲料はサイホン管２１を通じて押し出され、内管３２の内部を通じて飲料送給口３８を通じて冷却装置４０に送給される。従って、図１に示す状態では冷却装置４０に設けられている飲料注出コック４１（図５参照）を開くことにより冷えた飲料を注出することができる。
【００２０】
図３は飲料注出停止状態を示す。つまり、この状態では内管３２に形成した小径部３２Ａが一対のオーリング３３Ａと３３Ｂの間の位置に配置され、オーリング３３Ａと３３Ｂは共に内管３２の大径部に当接する。従って、分岐管３１Ａから印加されるガス圧は小径部３２Ａで形成される空隙部分に印加されるが、オーリング３３Ａと３３Ｂでシールされ他に洩れ出すことはない。
以上は従来の技術と同じである。この考案の特徴は分岐管３１Ａに装着したアクチュエータ５０の構造にある。この実施例では分岐管３１Ａの中空孔を図６及び図８に示した孔の径より太く形成し、この太い径の部分に補助用のホルダとして作用する筒体５１を挿入する。筒体５１の周面にオーリング５２を装着し、筒体５１の外周と分岐管３１Ａの内壁面との間をシールする。筒体５１の後端部（ガス圧供給側の端）に例えばゴム製の筒体５３を嵌合させる。この筒体５３はバネ受として作用し、筒体５３とアクチュエータ５０との間にバネ５４を介挿し、このバネ５４の偏倚力によってアクチュエータ５０の先端を内管３２の周面に圧接させる。
【００２１】
アクチュエータ５０は先端側は比較的径の細い円柱形部分５０Ａとされ、その先端を反球面形とし、内管３２の周面に対して円滑に摺動させる。円柱形部分５０Ａの後端側に必要に応じて例えばゴムのような可撓性材で形成した逆止弁６０を装着する。逆止弁６０は円柱形部５０Ａに嵌合する筒部６１と、この筒部６１の後端側から末拡がりに突出した弁部６２とを有して構成される。弁部６２の突出端が筒体５１の内壁面に接触し、ガス供給側（矢印Ａ）から印加されるガス圧に対しては抵抗なくガスを通過させるが、外管３１の中空部分からの逆流に対しては弁部６２が拡がり逆流を阻止する。
【００２２】
尚、逆止弁６０は高い信頼性を要求する場合に設ければよく、必ずしも必要としない。
筒体５１には第１直径部分５５と第２直径部分５６と、これら第１直径部分５５と第２直径部分５６の境界位置に形成された第１段部５７とを備える。この実施例では第１直径部分５５は外管３１に近い側に配置され、第２直径部分５６は第１直径部分５５よりガスの流入側に配置した場合を示す。従って、第１直径部分５５の内径をＲ１、第２直径部分５６の内径をＲ２とした場合、これらの大小関係はＲ１＜Ｒ２に選定される。第１直径部分５５と第２直径部分５６との境界部分に第１段部５７を形成する。この第１段部５７は筒体５１の軸芯に対して約４５°程度の傾きを持つテーパ面とした場合を示す。
【００２３】
第１直径部分５５と対向する部分のアクチュエータ５０の直径は第１直径部５５の直径Ｒ１より小さい径に選定され、第１直径部分５５の内壁面とアクチュエータ５０との間に空隙を形成し、この空隙を通じてガスを流す。アクチュエータ５０に第２段部５８を形成する。この第２段部５８も第１段部５７と同様に筒体５１の軸芯に対して約４５°の傾きを持つテーパ面とされ、アクチュエータ５０が外管３１の軸芯に向かって最も突出した位置に移動すると第１段部５７と第２段部５８が互いに接合する。この接合状態でガス流は遮断される。但し第１段部５７又は第２段部５８の何れか一方に図４に示すように微少量開放手段５９を形成し、この微少量開放手段５９を通じてわずかなガス流を外管３１の中空部に送り込む。微少量開放手段５９は図４に示す例ではアクチュエータ５０に形成した第２段部５８に切溝を形成し、この切溝によって微少量開放手段５９を構成した場合を示す。切溝は１本でも複数本形成してもよい。
【００２４】
アクチュエータ５０の後端には外側に突出したフランジ部Ｆが形成される。このフランジ部Ｆは図４に示すように軸芯方向から見た形状が例えば六角形とされる。従って、この六角形の各平面部分では筒体５１の内壁との間に間隙が形成され、この間隙を通じてガスが流通する。
以上の説明から明らかなようにアクチュエータ５０はバネ５４の偏倚力によって内管３２の周面に向かって弾性的に圧接偏倚される。これにより、アクチュエータ５０は内管３２の周面の形状に従って分岐管３１Ａの軸芯に沿って移動する。つまり、内管３２が最も押し下げられた位置に存在する場合にはアクチュエータ５０の先端は内管３２の大径部と対向する、この状態ではアクチュエータ５０は内管３２の軸芯から最も遠ざかった位置に移動する。
【００２５】
図１はその状態を示す。この図１に示す状態では第１段部５７と第２段部５８は最も離れた位置で対向し、この状態ではガスは無抵抗で外管３１の中空部に供給される。このときオーリング３３Ｂは小径部３２Ａと対向しているから、ガス圧はオーリング３３Ｂとオーリング３３Ｂの間の間隙を通じて下向きに吹き出し、図５に示した飲料容器２０に印加される。従って、図５に示した飲料注出コック４１を開けると飲料はサイホン管２１を通じて飲料容器２０から押し出され、内管３２を通じて冷却装置４０に送給される。
図１の状態から内管３２を上向に移動させ、図２に示す位置（アクチュエータ５０が内径部３２Ａと対向する位置）に設定すると、この状態ではアクチュエータ５０は内管３２の軸芯に最も近づいた位置に移動する。この移動により第１段部５７と第２段部５８が接合し、ガス流を遮断し、微少量開放手段５９を通じて微少量ガスを供給する。この状態ではサイホン管２１に設けた弁は閉じられており、更にオーリング３３Ｂは図２に示すように小径部３２Ａの一部と対向してわずかに開いているから、冷却装置４０の飲料注出コック４１を開けばわずかに供給されているガスによってサイホン管２１の上部に残っている飲料は冷却装置４０に向かって押し出される。つまり、図２に示す状態でディスペンスヘッド３０と冷却装置４０との間の飲料供給路に滞留する飲料を全て排出することができる。
【００２６】
飲料を排出後、内管３２を図３に示すように最も高い位置に移動させるとオーリング３３Ｂは内管３２の大径部に接触し、ガス流は完全に遮断される。つまり、飲料の注出停止状態となる。
以上説明したように、ディスペンスヘッドの中ではガスの供給源となる分岐管３１Ａ内に微少量開放手段５９を設けた構造としたから、この分岐管３１Ａに飲料が逆流する率は低い。従って微少量開放手段５９に飲料が接触する率は低く、微少量開放手段５９が飲料に含まれる成分の堆積によって詰る率を低くすることができる。
【００２７】
高い信頼性を求める場合にはアクチュエータ５０の先端側に逆止弁６０を設ければよい。逆止弁６０を設けた場合には仮に分岐管３１Ａに飲料が逆流したとしても、飲料が微少量開放手段５９に達する確率を低くすることができる。この結果、長期にわたって安定に使用することができ、信頼性の高いディスペンスヘッドを提供することができる。
【産業上の利用可能性】
【００２８】
この考案によるディスペンスヘッドは飲食店のビール販売用として活用される。
【図面の簡単な説明】
【００２９】
【図１】この考案によるディスペンスヘッドの飲料注出状態を説明するための断面図。
【図２】本考案によるディスペンスヘッドの微少量開放状態を説明するための断面図。
【図３】本考案によるディスペンスヘッドの注出停止状態を説明するための断面図。
【図４】本考案に用いた微少量開放手段の一例を説明するための正面図。
【図５】背景技術を説明するための配置図。
【図６】従来のディスペンスヘッドの構造を説明するための断面図。
【図７】飲料容器に装着されるサイホン管の構造を説明するための一部を断面とする側面図。
【図８】先に提案したディスペンスヘッドの構造を説明するための断面図。
【符号の説明】
【００３０】
３１    外管                                  ５２    オーリング
３１Ａ    分岐管                                ５３    筒部
３２    内管                                  ５４    バネ
３２Ａ    小径部                                ５５    第１直径部
３３Ａ、３３Ｂ    オーリング                            ５６    第２直径部
３４    レバー                                ５７    第１段部
５０    アクチュエータ                        ５８    第２段部
５１    筒体                                  ５９    微少量開放手段
６０    逆止弁
【図１】
0003121929.tif 000003
【図２】
0003121929.tif 000004
【図３】
0003121929.tif 000005
【図４】
0003121929.tif 000006
【図５】
0003121929.tif 000007
【図６】
0003121929.tif 000008
【図７】
0003121929.tif 000009
【図８】
0003121929.tif 000010